【事件の表示】
　平成１０年特許願第３１３０８１号「パチンコ機」拒絶査定不服審判事件〔平成１２年　５月２３日出願公開、特開２０００−１４０２４６〕について、次のとおり審決する。
【結　論】
　本件審判の請求は、成り立たない。
【理　由】
【１】本願の手続の経緯 
　本願は平成１０年１１月４日の出願であって、平成１３年９月７日付けで拒絶理由が通知され、これに対し平成１３年１０月３１日付けで手続補正され、平成１４年５月１５日付けで拒絶査定がなされ、これに対し平成１４年６月２０日付けで拒絶査定に対する審判請求がなされたものである。
　　　　
【２】補正後の本願発明
　平成１３年１０月３１日付けの手続補正により、補正された特許請求の範囲の請求項１の発明（以下、この補正を「本願発明」という。）は、以下のとおりである。
「【請求項１】遊技球を検出する遊技球検出手段と、
　この遊技球検出手段によって前記遊技球が検出されたことを条件に図柄を変動表示する図柄表示手段と、
　遊技者が操作する第１の操作手段と、
　この第１の操作手段が操作されたことを検出すると、大当り特別乱数テーブルの中から大当り特別乱数を１つ選択するコンピュータ手段とを備えており、
　前記コンピュータ手段が、前記選択した大当り特別乱数が所定の大当り特別乱数である場合に、前記変動表示する図柄を大当り図柄で停止させ、遊技者に所定の利益を付与可能な遊技状態になることを特徴とするパチンコ機。」
と補正された。
　　　　　
【３】引用例に記載の発明
１．原査定の拒絶の理由に引用され、本願の出願日前に頒布された特開平７−２２７４７０号公報（以下、「引用例」という。）には、図面とともに、以下の技術事項が記載されている。
（ア）「本発明の目的は、遊技者が参加気分を持ち、楽しんで遊技することを可能とするパチンコゲーム機を提供することにある。」（段落【０００７】）
（イ）「このゲーム域１２ａには、パチンコ球がそこに入って盤面１１から排出されると入賞となる、複数個の入賞口１４ａ、特定入賞部１０５、特定入賞部１０５に入賞したときに特別の入賞状態を実現するための表示部１００と、特別の入賞状態になったときに、特定回数開放して大受口となる変動入賞部１０６と、これらの変動入賞部１０６、入賞口に入らなかったパチンコ球が最終的に集まって、盤面１１から排出される１つのアウト玉入口の排出口１１１とが設けられている。表示部１００は、パチンコ球が特定入賞部１０５に入るたびごとに、その状態が変動して、ある条件が満たされると、変動入賞部１０６が大受口となり、多数のパチンコ球を入賞とすることができる装置である。表示部１００には、複数の位置にそれぞれ図柄を表示することができる。表示位置１０１、１０２および１０３の各々は、複数種類ある図柄を変更表示していき、特定時間経過後の停止状態のときに予め定めた図柄が揃うと、特別の入賞状態となって、多数のパチンコ球を出すように構成される。また、表示部１００は、ＣＲＴや液晶などの表示装置で構成され、複数種類の図柄を１または２以上表示する。表示部１００は、特定入賞部１０５に入賞があると、絵柄が動的に変化している動的状態（回転状態）となり、図柄を回転させているような状態に表示を変えて、特定時間経過後に図柄を停止状態にして表示する。表示部１００に表示される図柄の順序は、それぞれあらかじめ定められていて、回転方向が上から下に回転するように見えるように制御される。」（段落【００１９】）
（ウ）「さらに、本実施例においては、表示部１００の表示位置１０３の前面にタッチセンサー３０が備えられている。このタッチセンサー３０は、遊技者からの、図柄の動的状態の表示から停止状態の表示への移行指示を受け付ける停止受付部である。図１４にタッチセンサー３０の構成図を示す。タッチセンサには、人体を介した大地間との容量変化を利用する方式と、２電極間を指先でつなぐ抵抗方式とがある・・また、停止移行指示は、表示位置１０３についてだけ受け付ける場合には、表示位置１０３のＹ軸方向の透明電極線だけ備えるようにしておけばよい。本実施例においては、特定入賞部１０５に入賞があったときから一定時間の間に、遊技者は、タッチセンサー３０をタッチすることにより表示位置１０３の表示状態を停止状態にすることができる。または、表示位置１０１と１０２とが停止状態になって、それらの位置の図柄が一致してリーチとなったときにタッチセンサー３０において移行指示を受け付ける。表示位置１０３の表示が停止状態になり、すべての図柄の組合せが、あらかじめ定めた図柄の組合せに一致した場合に、入賞口の口が変動する変動入賞部１０６が特定回数開放して大受口となる。・・さらに、タッチセンサー３０において、移行指示を受け付けることが可能であることを通知するようにしてもよい。通知方法としては、あらかじめ定めた音声メッセージを出力したり、あらかじめ定めた効果音により通知することができる。または、表示部１００の背景の色を変更して通知するようにしてもよい。さらに、表示部の周辺にＬＥＤ（発光ダイオード）等の表示灯３１を設けておき、移行指示の受け付けが可能であることを表示灯３１を点滅させることにより遊技者に知らせてもよい。また、表示部１００において、タッチセンサー３０で移行指示を受け付けたことを示す、あらかじめ定めた表示を行なうことができる。例えば、表示部１００の背景の色や画像を他の色や他の画像に変更して通知することができる。また、移行指示を受け付けたことを示すのに、表示灯３１を点灯させるようにしてもよい。また、一定時間内にタッチセンサー３０で表示部の移行指示を受け付けなかった場合には、移行指示をパチンコゲーム機１０において発生させるようにする。また、あらかじめ定めた状態になったときに、あらかじめ定めたメッセージを表示するメッセージ表示部３２を設けておいてもよい。例えば、本実施例においては、停止移行指示を受け付け可能であるときに、その旨をメッセージとして表示することができる。」（段落【００２０】）
（エ）「また、表示部１００の表示位置１０１および１０２の前面にもタッチセンサー３０および表示灯３１を備え、全ての表示位置について停止状態への移行指示を受け付けるようにしてもよい。」（段落【００２１】）
（オ）「本実施例においては、特定入賞部１０５に入賞があったときに、表示部１００の各々の表示位置において回転表示を始め、あらかじめ定めた時間経過後に、表示位置１０１と１０２とが停止状態の表示に代わる。表示位置１０１と１０２とに表示されている図柄が一致した場合にはリーチであるので、その後、表示灯３１を点滅させることによりタッチセンサー３０で移行指示の受け付けが可能であることを通知し、タッチセンサー３０が遊技者によりタッチされると、表示灯３１を点灯させ、表示部の表示位置１０３が停止状態の表示に移行する。表示位置１０１，１０２，１０３の図柄が、全て一致した場合には大当りとなる。このとき、図柄の組合せは、全て同じ図柄であるとする代わりに、あらかじめ定めた図柄の組合せに一致した場合としてもよい。」（段落【００２２】）
（カ）「さらに、図７に示すように、タッチセンサー３０を設ける代わりに、遊技者から表示部の停止状態への移行指示を受け付ける停止受付部のストップボタン３２を設けるようにしてもよい。このストップボタン３２は、押下されると、表示部１００の表示位置１０３の図柄の表示状態を、動的状態から停止状態に移行する。」（段落【００３４】）
（キ）「特定入賞部制御装置４０４は、特定入賞部１０５に玉が入賞したことを検出するごとに、その旨をマイクロプロセッサ４０８に通知し、また、内部に設けた特定入賞カウンタのカウント値に「１」を加算する。この特定入賞カウンタは、「０」〜「３」までカウント可能なカウンタであり、初期値としては、「０」がセットされており、カウント値は、入賞個数表示部制御装置４０５に出力されている。マイクロプロセッサ４０８により表示部制御装置４０１〜４０３に対して表示状態を動的状態にするように指示がされると、マイクロプロセッサ４０８により特定入賞カウンタはカウントダウンされる」（段落【００４０】）
　　　
　以上の（ア）乃至（キ）の記載事項及び図面から、「引用例」には、以下の発明（以下、「引用発明」という。）が記載されているものと認められる。
　　　
＜引用発明＞
「パチンコ球が特定入賞部１０５に入賞したときに特別の入賞状態を実現するための表示部１００の表示位置１０１、１０２および１０３の各々が複数種類の図柄を変更表示していき、特定時間経過後の停止状態のときに予め定めた図柄が揃うと、特別の入賞状態となって、多数のパチンコ球を出すように構成されるパチンコゲーム機であって、表示部１００の前面にはタッチセンサー３０が備えられ、このタッチセンサー３０は、図柄の動的状態の表示から停止状態の表示への移行指示を受け付け、特定入賞部１０５に入賞があったときから一定時間の間に、タッチセンサー３０をタッチすることにより表示位置１０３の表示状態を停止状態にすることができるものであり、移行指示の受け付けを通知する通知方法に、音声メッセージ、効果音、表示部１００の背景の色を変更等により遊技者に知らせるパチンコゲーム機。」
　　
【４】対比・判断
１．本願発明と引用発明との対比
　本願発明と引用発明とを対比すると、引用発明の「パチンコ球」が本願発明の「遊技球」に相当し、以下同様に、「図柄を変更表示」が「図柄を変動表示」に、「表示部１００」が「図柄表示装置」に、「パチンコゲーム機」が「パチンコ機」に相当している。
　また、引用例の上記記載事項（キ）「特定入賞部制御装置４０４は、特定入賞部１０５に玉が入賞したことを検出するごとに、その旨をマイクロプロセッサ４０８に通知し、・・マイクロプロセッサ４０８により表示部制御装置４０１〜４０３に対して表示状態を動的状態にするように指示がされる・・」なる記載に基づけば、引用発明は、遊技球（パチンコ球）を検出する遊技球検出手段を備えているのは明らかであり、遊技球検出手段が遊技球（パチンコ球）が検出されたことを条件に図柄を変動表示させるから、引用発明は本願発明と同様に「遊技球を検出する遊技球検出手段と、この遊技球検出手段によって遊技球が検出されたことを条件に図柄を変動表示する図柄表示手段」の構成を備えたものといえる。
　そして、引用例の上記記載事項（ウ）「・・表示部１００の表示位置１０３の前面にタッチセンサー３０が備えられている。このタッチセンサー３０は、遊技者からの、図柄の動的状態の表示から停止状態の表示への移行指示を受け付ける停止受付部である。・・特定入賞部１０５に入賞があったときから一定時間の間に、遊技者は、タッチセンサー３０をタッチすることにより表示位置１０３の表示状態を停止状態にすることができる。・・表示位置１０３の表示が停止状態になり、すべての図柄の組合せが、あらかじめ定めた図柄の組合せに一致した場合に、入賞口の口が変動する変動入賞部１０６が特定回数開放して大受口となる。・・」、同じく記載事項（エ）「また、表示部１００の表示位置１０１および１０２の前面にもタッチセンサー３０および表示灯３１を備え、全ての表示位置について停止状態への移行指示を受け付けるようにしてもよい。」、同じく記載事項（カ）「さらに、図７に示すように、タッチセンサー３０を設ける代わりに、遊技者から表示部の停止状態への移行指示を受け付ける停止受付部のストップボタン３２を設けるようにしてもよい。・・」なる記載に基づけば、引用発明は遊技者が操作するタッチセンサ３０或いはストップボタン３２で図柄の変動表示を操作する操作手段を備え、該操作手段が操作されたことを検出し、図柄の組み合わせが、あらかじめ定めた図柄の組み合わせ、すなわち「大当り」で停止すると、遊技者に所定の利益を付与可能な遊技状態とするものであり、一方、本願発明も第１の操作手段が操作されたことを検出すると大当りか否かを選択し、図柄が大当りで停止すると、遊技者に所定の利益を付与可能な遊技状態になるから、引用発明と本願発明は、「遊技者が操作する操作手段と、この操作手段が操作されたことを検出し、変動表示する図柄が大当り図柄で停止すると、遊技者に所定の利益を付与可能な遊技状態になる」点で共通する構成を備えているといえる。
　　　　　
してみると、引用発明と本願補正発明とは
　　　　　
「遊技球を検出する遊技球検出手段と、
　この遊技球検出手段によって前記遊技球が検出されたことを条件に図柄を変動表示する図柄表示手段と、
　遊技者が操作する操作手段と、
　この操作手段が操作されたことを検出し、前記変動表示する図柄が大当り図柄で停止すると、遊技者に所定の利益を付与可能な遊技状態になるパチンコ機。」
　　　　　
　である点で一致し、以下の点で相違する。
　　　　　
＜相違点＞
　操作手段が操作されたことを検出すると、本願発明は、コンピュータ手段が大当り特別乱数テーブルの中から大当り特別乱数を１つ選択し、大当り特別乱数が所定の大当り特別乱数である場合に、変動表示する図柄を大当り図柄で停止させるのに対し、引用発明は、変動表示する図柄を単に停止させるのみで、大当り特別乱数テーブルの中から大当り特別乱数を選択するものではない点。　　　　　
　　　
２．相違点についての検討
＜相違点について＞
　図柄表示手段を備えたパチンコ機において、本願出願前に頒布された特開平１０−２７７２２０号公報（段落【００１４】〜【００１９】参照）に、可変表示装置が図柄の変動を開始し、第１停止図柄と第２停止図柄が停止して図柄が一致した場合、所定回数のボタン操作により、乱数から可変表示装置で表示する第３停止図柄を選択して停止させる点が記載され、同じく、特開平１−２３２９８２号公報（第４頁右上欄第１８行〜左下欄第６行、第４頁右下欄第３〜１１行、第６頁左上欄第１６〜１９行参照）に、「表示部の数値が乱数発生回路の起動によりランダムにデジタル表示され、ストップボタンを操作すると乱数発生回路の乱数値が決定され停止表示する点」が記載されており、これらの記載から、「変動表示する図柄を、ボタン等の操作手段により乱数から図柄の種類を選択して停止表示させること」は、従来周知の技術といえる。
　また、「乱数から直接図柄の種類を選択するのでなく、大当りであるか否かを選択し、続いて大当りか否かに基づき図柄の種類を選択して停止表示の制御を行うこと」も、パチンコ機の乱数を用いた図柄制御では周知の技術（例えば、特開平１０−１５１７８号公報、段落【００２１】〜【００２３】、実願平５−７３０９５号（実開平７−３７２６８号）のＣＤ−ＲＯＭ、段落【００１９】〜【００２３】参照）であるから、上記周知技術の操作手段で乱数から図柄の種類を選択して停止表示の制御を行うことに代えて、操作手段で乱数から大当り乱数を選択するようにし、続いて図柄の種類を選択して停止表示の制御を行わせることは、当業者が適宜に変更し得る設計事項にすぎないことである。
　そうすると、引用発明と上記各周知技術は、いずれも図柄の変動表示に、操作手段により遊技者が直接関与できるようにしたものであるから、操作手段の操作により図柄を停止させる引用発明に上記周知技術を各々適用し、操作手段が操作されたことを検出すると、大当り特別乱数テーブルの中から大当り特別乱数を１つ選択し、大当り特別乱数が所定の大当り特別乱数である場合に、変動表示する図柄を大当り図柄で停止させる手段を備えさせること、すなわち本願発明の相違点を構成することは、当業者が容易に想到し得たことである。
　　　　　
３．作用効果・判断
  そして、本願発明における遊技者に所定の利益が付与されるか否かの決定に関与する操作を遊技者に行わせることにより、遊技の単調化を解消し、遊技の興趣を高めることができ、かつ、特定の遊技者の特殊技術による利益の差が生まれないパチンコ機を実現することができるという作用効果も、引用発明及び周知技術に基づいて当業者が当然予測できるものである。
　したがって、本願発明は、引用発明及び周知技術に基づいて当業者が容易に発明をすることができたものであるから、特許法第２９条第２項の規定により特許を受けることができない。
　　　　　
【５】むすび
　以上のとおり、本願発明は、引用発明及び周知技術に基づいて、当業者が容易に発明をすることができたものであり、特許法第２９条第２項の規定により特許を受けることができないものであるから、本願は拒絶すべきものである。
　よって、結論のとおり審決する。